(57)【要約】【課題】チューブにねじれが生じないと同時に、強固に接続されることで液漏れ等が回避できる医療用具の接続構造を提供すること。【解決手段】チューブ（Ｔａ）端部に装着される回動部材（２）と、外筒部（３ａ）と内筒部（３ｂ）からなる固定部材（３）とから形成され、前記回動部材（２）の外周面にネジ山（５）が形成され、前記固定部材（３）の外筒部（３ａ）の内周面に、前記ネジ山（５）に螺合するネジ溝（６）が形成され、（ａ）前記回動部材（２）の内周面に、凸部（４ａ）、を形成するか、または、（ｂ）前記チューブ（Ｔａ）の外周面に凸部（４ｂ）を形成し、前記回動部材（２）のネジ山（５）と前記固定部材（３）のネジ溝（６）を螺合するとき、（ａ）前記凸部（４ａ）が、チューブ（Ｔａ）を押圧するか、または、（ｂ）回動部材（２）が前記凸部（４ｂ）を押圧して固定部材（３）に固定する医療用具の接続構造。【選択図】図１
0003125016.tif 000002
【実用新案登録請求の範囲】
【請求項１】
チューブ（Ｔａ）端部に装着される回動部材（２）と、外筒部（３ａ）と内筒部（３ｂ）からなる固定部材（３）とから形成され、
前記回動部材（２）の外周面にネジ山（５）が形成され、
前記固定部材（３）の外筒部（３ａ）の内周面に、前記ネジ山（５）に螺合するネジ溝（６）が形成され、
（ａ）前記回動部材（２）の内周面に、凸部（４ａ）、を形成するか、または、（ｂ）前記チューブ（Ｔａ）の外周面に凸部（４ｂ）を形成し、
前記回動部材（２）のネジ山（５）と前記固定部材（３）のネジ溝（６）を螺合するとき、（ａ）前記凸部（４ａ）が、チューブ（Ｔａ）を押圧するか、または、（ｂ）回動部材（２）が前記凸部（４ｂ）を押圧して固定部材（３）に固定することを特徴とする医療用具の接続構造。
【請求項２】
前記チューブ（Ｔａ）の先端部を、先端方向に次第に肉厚に形成したことを特徴とする請求項１に記載の医療用具の接続構造。
【請求項３】
チューブ（Ｔｂ）端部に装着される回動部材（１２）と、外筒部（１３ａ）と内筒部（１３ｂ）からなる固定部材（１３）とから形成され、
前記回動部材（１２）の外周面にネジ山（１５）が形成され、
前記固定部材（１３）の外筒部（１３ａ）の内周面に、前記ネジ山（１５）に螺合するネジ溝（１６）が形成され、
チューブ（Ｔｂ）は、先端方向に次第に肉厚に形成し、
前記チューブ（Ｔｂ）の外周面に係止部（５５、６５）を形成し、前記回動部材（１２）の内周面に係止部（５６、６６）を形成し、
ネジ山（１５）とネジ溝（１６）を螺合したとき、前記肉厚部（Ｔ１）が回動部材（１２）に押圧されて固定部材（１３）に固定されることを特徴とする医療用具の接続構造。
【請求項４】
前記係止部（５５）はネジ山、前記係止部（５６）はネジ溝であり、
前記係止部（５５）が前記回動部材（１２）の内周面に形成した係止部（５６）に、螺合するように形成したことを特徴とする請求項３に記載の医療用具の接続構造。
【請求項５】
前記係止部（６５）は２つの凸部、前記係止部（６６）は１つの凸部であり、当該係止部（６６）は、前記２つの係止部（６５）の間で可動を制限されていることを特徴とする請求項３に記載の医療用具の接続構造。
【考案の詳細な説明】
【技術分野】
【０００１】
本考案は、チューブの端部を接続するための医療用具の接続構造の改良であり、例えば、血液処理器等と体外循環回路の接続構造の改良に関するものである。
【背景技術】
【０００２】
例えば、ダイアライザ等の血液処理器を用いて行う透析治療は、患者の血液を体外循環回路により体外に導き、体液導入ポートに接続されたダイアライザを通すことで老廃物等を排除し、浄化した血液を、体液導出ポートに接続された体外循環回路を経て、再び患者の体内に戻すというものである。
この体外循環回路とダイアライザは、従来はダイアライザに設けられたチューブの差込口に、チューブ端部を直接差し込んで接続していたが、単に差込口にチューブを差し込むだけでは、チューブが容易に外れるなど、安全性に問題があった。
ダイアライザのポートに形成した螺合部と、この螺合部に対応するネジ構造を有しチューブが接着等されたコネクタを接続することで、容易には外れないコネクタが提供されるようになる。
しかし、チューブ側のコネクタをねじって接続すると、チューブも同様にねじれるため、ねじれによってチューブがつぶれたり折れ曲がったりする。
【０００３】
そこで、チューブがねじれない継手として、例えば、特許文献１のような、チューブ端部に対して回動自在で、外周壁にはネジ形状２１ａが形成された外筒部材２１を、ネジ形状２１ａが螺合できる外側筒部１９に螺合したとき、内筒部材２０が開口筒部１８に押圧されて液密になる血液浄化用継手が発明された。
回転するのは外筒部材２１だけで、チューブは回転しないので、継手の回転時にチューブを連れ回すことがなく、チューブがねじれないというものである。
【０００４】
特許文献２の発明は、可動側ロック部材５を固定側ロック部材４に締結する際に、スリーブ９が内孔５ａの内壁面と、差込口３のテーパ部３ａの該周面に挟まれて圧着されることでチューブとダイアライザが接続される。
この接続時に、可動側ロック部材５のみが回転して、スリーブ９（チューブ８）を差込口３に圧着接続されることで、チューブのねじれが防げる。
また、特許文献３には、オスコネクタ７に挿入された、端部が、先端部から後端部へと外径が拡径しているチューブ６を挿通できる、内腔にらせん状の締結手段を有する固定具１が開示されている。固定具１は、らせん状の締結手段でチューブに外嵌合するので、チューブとオスコネクタの接続強度を確保できるというものである。特許文献３の固定具１も、特許文献１の外筒部材２１、特許文献２の可動側ロック部材５と同様に、固定具１のみが回転するので、チューブがねじれることがない。
【０００５】
特許文献１、特許文献２及び特許文献３では、ねじれを防止する手段は記載されているが、チューブ接続時に、特許文献１では外筒部材２１、特許文献２は可動ロック部材５、特許文献３では固定具１でチューブを押圧するだけで、チューブのより強固な固定手段については、記載されていない。
【特許文献１】特開２００４−１６０２１４号公報（請求項１、[００３４]、図７）
【特許文献２】特開２００４−４１６１２号公報（請求項１、［０００８］、図２）
【特許文献３】特開２００５−２６１５７２号公報（請求項１、図４）
【考案の開示】
【考案が解決しようとする課題】
【０００６】
本考案が解決しようとする課題は、特許文献１、特許文献２に記載の接続構造では、ダイアライザ等の医療用具にチューブを接続したときに、チューブのねじれ発生の防止はできるが、チューブが容易には抜けたり外れたりしないことは特段補償されていない点、また特許文献３では固定具でチューブを押圧するだけで、チューブのより強固な固定手段については、特段補償されていない点である。
【課題を解決するための手段】
【０００７】
［１］本考案は、チューブ（Ｔａ）端部に装着される回動部材（２）と、外筒部（３ａ）と内筒部（３ｂ）からなる固定部材（３）とから形成され、
前記回動部材（２）の外周面にネジ山（５）が形成され、
前記固定部材（３）の外筒部（３ａ）の内周面に、前記ネジ山（５）に螺合するネジ溝（６）が形成され、
（ａ）前記回動部材（２）の内周面に、凸部（４ａ）、を形成するか、または、（ｂ）前記チューブ（Ｔａ）の外周面に凸部（４ｂ）を形成し、
前記回動部材（２）のネジ山（５）と前記固定部材（３）のネジ溝（６）を螺合するとき、（ａ）前記凸部（４ａ）が、チューブ（Ｔａ）を押圧するか、または、（ｂ）回動部材（２）が前記凸部（４ｂ）を押圧して固定部材（３）に固定する医療用具の接続構造を提供する。
［２］本考案は、前記チューブ（Ｔａ）の先端部を、先端方向に次第に肉厚に形成した［１］に記載の医療用具の接続構造を提供する。
［３］本考案は、チューブ（Ｔｂ）端部に装着される回動部材（１２）と、外筒部（１３ａ）と内筒部（１３ｂ）からなる固定部材（１３）とから形成され、
前記回動部材（１２）の外周面にネジ山（１５）が形成され、
前記固定部材（１３）の外筒部（１３ａ）の内周面に、前記ネジ山（１５）に螺合するネジ溝（１６）が形成され、
チューブ（Ｔｂ）は、先端方向に次第に肉厚に形成し、
前記チューブ（Ｔｂ）の外周面に係止部（５５、６５）を形成し、前記回動部材（１２）の内周面に係止部（５６、６６）を形成し、
ネジ山（１５）とネジ溝（１６）を螺合したとき、前記肉厚部（Ｔ１）が回動部材（１２）に押圧されて固定部材（１３）に固定される医療用具の接続構造を提供する。
［４］本考案は、前記係止部（５５）はネジ山、前記係止部（５６）はネジ溝であり、
前記係止部（５５）が前記回動部材（１２）の内周面に形成した係止部（５６）に、螺合するように形成した［３］に記載の医療用具の接続構造を提供する。
［５］本考案は、前記係止部（６５）は２つの凸部、前記係止部（６６）は１つの凸部であり、当該係止部（６６）は、前記２つの係止部（６５）の間で可動を制限されている［３］に記載の医療用具の接続構造を提供する。
【考案の効果】
【０００８】
血液回路のチューブを医療用具に接続する際、回動するのはコネクタの回動部材２、１２のみで、チューブは回転しないので、チューブにねじれが生じないと同時に、
（１）（ａ）チューブＴａに形成した凸部４ｂ、または、（ｂ）回動部材２に形成した凸部４ａにより、回動部材２の内周面とチューブＴａが強固に接続されるので、液漏れ等が回避できる。
（２）医療用具接続側にかけてチューブＴｂ自体を厚く形成することにより、回動部材１２と固定部材１３を螺合したときに、回動部材１２がチューブの肉厚部Ｔ１をより強く押圧するので、チューブＴｂは確実に固定される。
【考案を実施するための最良の形態】
【０００９】
図１は、本考案の医療用具の接続構造の断面図、図２は、図１の医療用具の接続構造のその他の実施例の断面図、図３は、本考案の医療用具の接続構造の断面図、図４は、図３の医療用具の接続構造のその他の実施例の断面図である。
［医療用具の接続構造］
本考案の医療用具の接続構造は、回動部材２（１２）と固定部材３（１３）からなる。回動部材２（１２）と固定部材３（１３）は、固定部材３（１３）の内周面と回動部材２（１２）の外周面に形成されたネジ溝６（１６）とネジ山５（１５）の螺合構造により、螺合できることで、固定部材３（１３）（医療用具ＭＤ）とチューブＴａ（Ｔｂ）を接続する。
医療用具ＭＤは、例えば血液処理器などであり、チューブＴａ（Ｔｂ）は体外循環回路などである。
【００１０】
［回動部材２（１２）］
回動部材２（１２）は、図１から図４に示すように、先端部を固定部材３（１３）と螺合できる形状に形成されている。
具体的には、回動部材２（１２）の外周面に、固定部材３（１３）の外筒部３ａ（１３ａ）の内周面に形成されたネジ溝６（１６）に螺合できるネジ山５（１５）を有しており、固定部材３（１３）に回動部材２（１２）を螺合させることで、チューブＴａ（Ｔｂ）が固定部材３（１３）（医療用具ＭＤ）と接続される。
また、回動部材２（１２）の外周には翼７（１７）が形成されている。
【００１１】
［固定部材３（１３）］
固定部材３（１３）は、図１から図４のように、外筒部３ａ（１３ａ）と内筒部３ｂ（１３ｂ）とからなる。
外筒部３ａ（１３ａ）の内周面には、前述のように、回転部材２（１２）のネジ山５（１５）と螺合するためのネジ溝６（１６）が形成される。
【００１２】
［（回転部材側）凸部４ａ］
凸部４ａは、図１に示すように回動部材２の内周面に固定部材３（医療用具ＭＤ）寄りに形成される。回動部材２の外周面のネジ山５を、固定部材３の内周面のネジ溝６と螺合させて、チューブＴａと固定部材３（医療用具ＭＤ）を接続するときに、チューブＴａよりも硬質部材で形成される回動部材２の、内周面の凸部４ａは、回動部材２よりも軟質部材であるチューブＴａに食い込むような状態となる。このように、チューブＴａをつぶしながら、凸部４ａがかみ合うことで、チューブＴａと固定部材（医療用具ＭＤ）は強固に接続され、接続部のコネクタ１が緩んだり外れたりしなくなり、したがって液漏れなどのおそれがなくなる。
凸部４ａは、回動部材２の内周に連続した環状に形成してもよいし、または部分的に形成してもよく、凸部４ａがチューブＴａを押圧することで前述のような効果が得られれば、特には限定しない。また、凸部４ａを形成する位置も、図１に示した位置に限定されず、要するに、チューブＴａに食い込み、前述のような効果が得られる位置であればよい。
【００１３】
［（チューブ側）凸部４ｂ］
また、凸部４ａの代わりに、図２に示すようにチューブＴａの外周に、固定部材３（医療用具ＭＤ）寄りに凸部４ｂを設けることもできる。回動部材２の外周面のネジ山５を、固定部材３の内周面のネジ溝６と螺合させて、チューブＴａと固定部材３（医療用具ＭＤ）を接続したときに、この凸部４ｂが、チューブＴａよりも硬質部材で形成される回動部材２の内周面に押圧されることにより、チューブＴａと回動部材２の内周面がより強く締めつけられ、固定部材３（医療用具ＭＤ）とチューブＴａが強固に接続することができる。
凸部４ｂは、チューブＴａの外周に連続した環状に形成してもよいし、または部分的に形成してもよく、凸部４ｂが回動部材２に押圧されることで前述のような効果が得られれば、特には限定しない。また、凸部４ｂを形成する位置も、図２に示した位置に限定されず、要するに、回動部材２に押圧されることで、前述のような効果が得られる位置であればよい。
なお、図１、図２の実施例とも、後述のチューブＴｂのように、チューブＴａの固定部材３（医療用具ＭＤ）との接続側の先端部に肉厚部Ｔ１を設けることもでき、肉厚部Ｔ１を設けた場合は、肉厚部Ｔ１を設けない場合よりも、より強固で確実な接続が期待できる。
【００１４】
［チューブＴｂ、肉厚部Ｔ１］
図３及び図４の実施例では、固定部材３（医療用具ＭＤ）に接続する側のチューブＴｂ端部を、図３及び図４に示した肉厚部Ｔ１のように、チューブＴｂの内径は変えずに、外径が太くなるようなテーパ状に形成する。つまり、接続側の先端にかけて、チューブＴｂ自体を厚く形成する。
この肉厚部Ｔ１を設けることにより、回動部材１２と固定部材１３を螺合させたときに、回動部材１２がチューブの肉厚部Ｔ１を固定部材１３に強く押圧して固定するので、チューブＴｂは固定部材３（医療用具ＭＤ）と、強固に接続される。
【００１５】
［係止部５５、５６］
また、図３の実施例では、チューブＴｂの外周面と回動部材１２の内周面に、それぞれ係止部５５、５６を形成している。チューブＴｂに形成した係止部５５はネジ山であり、一方の回動部材１２に形成した係止部５６は、係止部５５に対応するネジ溝である。
これらの係止部５５（ネジ山）、係止部５６（ネジ溝）は、回動部材１２の外周面のネジ山１５と固定部材１３の外筒部１３ａのネジ溝１６を螺合させるときに、同時に螺合する構造に形成している。ネジ山１５とネジ溝１６及び係止部５５と係止部５６の２つの螺合部が同時に螺合することで、チューブＴｂと固定部材１３（医療用具ＭＤ）の確実な固定が可能となる。
【００１６】
［係止部６５、６６］
さらに図４に示す実施例では、回動部材１２の内周面の２箇所に係止部６５を設け、チューブＴｂの外周面に係止部６６を設けている。係止部６６は、２つの係止部６５の間にあり、係止部６５の間のみ、チューブＴｂの長さ方向に自由に移動できることで、回動部材１２のネジ山１５と固定部材１３のネジ溝１６を螺合させる前でも、回動部材１２がチューブＴｂから容易に抜け落ちない構成となっている。
係止部６５、６６は、回動部材１２の内周及びチューブＴｂの外周に、環状に形成するのが好ましい。また係止部６５の２つの位置の幅は特に限定されないが、回動部材１２と固定部材１３（外筒部１３ａ）を螺合させる場合などに、操作等を妨げないように形成する。
【図面の簡単な説明】
【００１７】
【図１】本考案の医療用具の接続構造の断面図
【図２】図１の医療用具の接続構造のその他の実施例を示す断面図
【図３】本考案の医療用具の接続構造の断面図
【図４】図３の医療用具の接続構造のその他の実施例を示す断面図
【符号の説明】
【００１８】
２、１２  回動部材
３、１３  固定部材
３ａ、１３ａ  （固定部材の）外筒部
３ｂ、１３ｂ  （固定部材の）内筒部
４ａ、４ｂ  凸部
５、１５、５５  ネジ山
６、１６、５６  ネジ溝
７、１７  翼
５５、５６、６５、６６  係止部
ＭＤ  医療用具
Ｔａ、Ｔｂ  チューブ
Ｔ１  （チューブの）肉厚部
【図２】
0003125016.tif 000003
【図１】
0003125016.tif 000004
【図３】
0003125016.tif 000005
【図４】
0003125016.tif 000006